【事件の表示】
　特願２００１−１７３９２８「インターネット・データベース」拒絶査定不服審判事件〔平成１４年　３月２２日出願公開、特開２００２−　８２９９４〕について、次のとおり審決する。
【結　論】
　本件審判の請求は、成り立たない。
【理　由】
１　手続きの経緯・本願発明
　本願は、平成１３年６月８日（優先権主張平成１２年６月２８日、特願２０００−１９４５６５号）の出願であって、平成１８年９月１１日付けで拒絶査定がなされ、これに対して同年１０月１９日に拒絶査定不服審判が請求されるとともに、同年１１月１７日付けで手続補正がなされたものである。
　本願の発明は、平成１８年１１月１７日付の手続補正書により補正された特許請求の範囲の請求項１ないし７に記載されたものと認められるところ、その請求項１に記載された発明（以下、「本願発明」という。）は、次のとおりのものである。
「【請求項１】　インターネット等のネットワークに接続されたサーバが提供する種々のＣＡＤ部品データを、クライアントにおいてＷｅｂブラウザを用いて取得し、前記クライアント上のＣＡＤアプリケーションで利用するためのＣＡＤシステムであって、
　前記クライアントにおいて前記Ｗｅｂブラウザ上に表示された前記ＣＡＤ部品データをドラッグ＆ドロップもしくはコピー＆ペーストにより前記クライアント上のＣＡＤアプリケーションに前記ＣＡＤ部品データを挿入する手段と、
　前記ＣＡＤ部品の画像データを挿入する際に、前記画像データとともに該ＣＡＤ部品データが公開されているＷｅｂページのＵＲＬ及び該ＣＡＤ部品データの属性値に関するデータを取得し、該ＣＡＤ部品データと関連付けて管理する手段と、
　前記Ｗｅｂブラウザから前記ＣＡＤ部品の画像データをドロップもしくはペーストする際、自動的に前記クライアント上のＣＡＤアプリケーション用フォーマットに変換して挿入する手段、
　を備えることを特徴とするＣＡＤシステム。」
　
２　引用例
（１）原査定の拒絶の理由として引用された「佐藤郁，ＣＡＤ／ＣＧソフト徹底研究　ＡｕｔｏＣＡＤ２０００　第２回　ＣＡＤ部品をダウンロードできるホームページはこう作る，日経デジケン，日経ＢＰ社，１９９９年９月２０日，第４巻，第１２号，ｐｐ．１２４−１２９」（以下、「引用例１」という。）には、次の事項が図面と共に開示されている。
　ア「［第２回］ＣＡＤ部品をダウンロードできるホームページはこう作る
「みんなが使えるＣＡＤ部品を作ったけど配るのも更新するのも大変」「自社の製品をＣＡＤ部品として使ってもらいたいけど、難しくて」とあきらめている人も多いだろう。そこで今回は、ＡｕｔｏＣＡＤ  ２０００とホームページを利用して、イントラネットやインターネットでＣＡＤ部品をダウンロードする仕掛けを作ってみる。さらに、図面に挿入してあるＣＡＤ部品の仕様や値段、メーカーなどの情報を、製品情報にあるホームページにリンクして、部品の最新情報を入手できるようにしてみよう。」（第１２４頁）
　
　イ「［ＷＥＢ公開用の部品をＤＷＦ形式で作成］
さて、利用する部品の準備ができたところで、公開用の部品の作成だ。
ここで気をつけなければいけないのは、今後はファイル名の変更が一切できないということ。ＡｕｔｏＣＡＤで作ったＤＷＦファイルをＷＥＢで公開すると、ＷＥＢブラウザ上にはＤＷＦファイルが表示され自由に拡大縮小できるが、そのＤＷＦファイル自体は「影武者」のようなもので、図面に貼ることができない。
ＷＥＢブラウザからドラッグ＆ドロップで図面に直接貼り付けられるのでＤＷＦが貼り付けられているように見えるが、実は見えないところでＤＷＧファイルをダウンロードしているのである。
ＤＷＦファイルはＤＷＧファイルを見つけるために、生成されるときにオリジナルのＤＷＧファイルのファイル名を覚えている。Ｗｈｉｐ！プラグインはＤＷＦファイルがＡｕｔｏＣＡＤヘドラッグ＆ドロップされると、覚えているＤＷＧファイルを同じディレクトリで探して、ファイルがあればダウンロードをして、ＡｕｔｏＣＡＤヘブロック図形としてインポートする。
このように、一度ＤＷＦファイルを作成してしまうと、ＤＷＦファイルはもちろん、ＤＷＧファイルも名称の変更をしてはいけないのである。」（第１２５頁）
　
　ウ「［ＣＡＤ部品がダウンロードできるホームページを作る］
まずはホームページのひな形を作成しよう。ホームページの作成ツールとしては、ＨＴＭＬのソースファイルが編集できるのもならばなんでもよい。
今回はたやすく入手できる、ＮｅｔｓｃａｐｅＣｏｍｍｕｎｉｃａｔｏｒ４．６に付属しているＮｅｔｓｃａｐｅＣｏｍｐｏｓｅｒ（Ｃｏｍｐｏｓｅｒ）を利用してみよう。背景など細かく設定すればいろいろなバリエーションのページが作成できるが、今回はＣＡＤ部品の公開が目的なので、できるだけ簡単に作成していこう。
Ｃｏｍｐｏｓｅｒを開いたら（図ｌｌ、１２）、［書式］−［ページの配色とプロパティ］を選択し、ページの背景や文字の色を選択する（今回は標準のまま）（図１３）。次に「全般」タグを選択し、タイトル、作成者を入力し（図１４）、「ＯＫ」ボタンを押す。
次に、本文ヘタイトル、製品会社名、製品名、部品図面のタイトルを描いていったん保存しよう。このときのファイル名には後のメンテが楽なので、製品名を利用したほうがよいだろう。例ではｋｏｂｅ３５ｔ．ｈｔｍｌとした（図１５）。
次にＤＷＦファイルの表示部分を記述する。ここからがちょっと大変だ。まずメニューより［編集］−［ＨＴＭＬソース］を選択して先ほど作成したＨＴＭＬファイルのソース（テキスト文書）を表示する（図１６、１７）。これは先程Ｃｏｍｐｏｓｅｒで作成したもののＨＴＭＬの原文である。
■ダウンロードのためのおまじない
「正面図」と書いてある文字の下に、以下のおまじないを打ち込む（図１８）。object width=300 height=200 classid=”clsid:b2be75f3-9197-11cf-abf4-08000996e931”
codebase=”ftp://ftp.autodesk.com/pub/whip/whip.cab”param name=”filename” value=”kobe35t1.dwf”embed width=300 height=200 name=abc-25t1 src=”kobe35t1.dwf” pluginspage= http://www.autodesk.com/whip//object
ここで、ｗｉｄｔｈ、ｈｅｉｇｈｔ＝（１行目と５行目）には表示する部品の大きさをピクセル単位で指定し、４行目のｖａｌｕｅ＝“”と６行目のｓｒｃ＝“”にある“”の間には表示するｄｗｆファイル名を。６行目のｎａｍｅ＝　の後にはオブジェクトの名前（ここではファイル名から拡張子の．ｄｗｆを抜いたもの）を入れる。
「たった一つの図面を表示するためになんで８行も必要なの」と思った方のために少々説明しておくと、これはインターネットエクスプローラ（ＩＥ）とネットスケープナビゲータ（ＮＣ）のどちらでも表示するために必要なもので、ＩＥのために５行、ＮＣのために３行必要としている。詳しくは別項を参照してもらいたい）。
２度も書くのは面倒なので、「平面」、「側面」の後ろに、コピーして４行目のｖａｌｕｅと６行目のｎａｍｅ、ｓｒｃを変更する（図１９、図２０）。
一度保存して再度Ｃｏｍｐｏｓｅｒで表示すると図２１のように、横に２つずつ６つの四角が表示されているのがわかる（多少違いがある場合は改行などで調整するとよい）。３つしか部品はないのに６つも表示されているが、これはＩＥとＮＣ用のタグが解釈されているためなので心配はいらない。確認のために「プレビュー」アイコンをクリックすると、３つの図面が表示されるのがわかる（図２２）。
しかし、この方法でたくさんの部品のホームページを作成するのはやはり大変である。そこで、登場するのがＷｈｉｐＭａｋｅｒ（図２３〜２６）である。」（第１２６〜１２７頁）
　
　エ「［いよいよホームページで公開だ］
部品の公開は通常のホームページと同様にＦＴＰソフトで行う。
イントラネットの場合は直接フォルダヘコピーしてもよい。
公開のために必要なファイルは
・ＨＴＭＬファイル ： kobe35t.html
・ＤＷＦファイル ： kobe35t1dwf,kobe35t2.dwf,kobe35t3.dwf
・ＤＷＧファイル ： kobe35t1.dwg,kobe35t2.dwg,kobe35t3.dwgの７つのファイルである。これらをすべてサーバーの同じディレクトリにコピーする。
ここで注意しないといけないのはＤＷＦファイルとＤＷＧファイルを同じフォルダに入れないと、ドラッグドロップができないことだ。もちろん、参照用に利用する場合はＤＷＦファイルだけにすればよい（図３１）。
コピーにはＦＴＰソフトを用いるが、今回は私のお気に入りのＦＦＦＴＰというフリーウエアを利用している。ここではＦＴＰソフトの利用方法は説明しないが、ホームページ作成の入門書や雑誌には必ず載っているので参考にしてもらいたい。
ホームページに掲載すると、図３２のようになる。Ｗｈｉｐ４．０があればＡｕｔｏＣＡＤ　２０００だけでなく、ＡｕｔｏＣＡＤ　ＬＴ９８や９５にもドラッグドロップで挿入することができる。
■うまく表示できないときは…
自分のパソコンだと表示できるのに、ホームページだと図３３のようになって、どうしても表示できない場合は、サーバーの設定を疑ってほしい。
サーバーがｄｗｆファイルをきちんと送ってくれるように、ＭＩＭＥ　ＴＹＰＥとして、ｄｒａｗｉｎｇ／ｘ−ｄｗｆと設定する必要がある。
サーバーのソフトごとに設定方法が異なるので、管理者に問い合わせた方がよい。詳しい設定の方法については、http://www.autodesk.co.jp/a_cad/whip/publish.htm#mime　に記載されているので、参考にしてほしい。」（第１２８〜１２９頁）
　
　前掲アないしエの記載によると引用例１には、
「イントラネットやインターネットに接続されたサーバー上のホームページで公開され、インターネットエクスプローラ（ＩＥ）やネットスケープナビゲータ（ＮＣ）に表示されたＣＡＤ部品データを、ドラッグ＆ドロップにより、ＡｕｔｏＣＡＤ　２０００、ＡｕｔｏＣＡＤ　ＬＴ９８や９５に挿入するＣＡＤシステムにおいて、表示されたＣＡＤ部品をＡｕｔｏＣＡＤの図面にドラッグ＆ドロップすると、ＡｕｔｏＣＡＤは前記表示されたＣＡＤ部品に対応するＤＷＧファイルをダウンロードし、ＡｕｔｏＣＡＤの図面上にドロップされたＣＡＤ部品データをインポートするＣＡＤシステム」の発明（以下、「引用発明」という。）が記載されていると認められる。
　
（２）同じく、原査定の拒絶の理由として引用された国際公開第９７／４２５７６号パンフレット（特表２００１−５０３８８８号公報参照）（以下、「引用例２」という。）には、次の事項が図面と共に開示されている。
　オ「FIGURE 3 is a flowchart showing a preferred method of creating a PURL entry and associated URL hyperlink by dragging and dropping. While using a program implementing the invention, a user selects an object (e.g., an icon or graphics figure) from a browser page having an associated URL (STEP 300).The URL, as provided by a browser program, is made available for dropping by the system software, in known fashion (STEP 302).
　
Using conventional techniques, the user drags (e.g., by holding down a mouse button and moving the mouse) the selected object to a document page until the computer display cursor is positioned over an existing object, such as figure or text, or a blank area (STEP 304). For convenience, the cursor may be changed to indicate that a URL is being dragged. The user then drops the dragged object (e.g., by releasing the mouse-button)
(STEP 306).
　
At this point, the program implementing the invention queries the system software, in known fashion, for the type of data being dropped (in this case, a URL) (STEP 308). Having identified the data type as URL, the URL is added to a list of PURL entries embedded within the document (STEP 310), as more fully described below with respect to FIGURE 4. Bookmark lists are well-known, such as in the WordPerfect program mentioned above. In the preferred embodiment, a particular URL may be used more than once within a document, unlike conventional bookmarks.
　
The system software is also queried to determine the nature of the location on which a URL has been dropped (STEP 312). If the underlying location contains a pre-existing object, such as a figure or text, a bookmark property of the underlying object is set to the value of the dragged URL (STEP 314). Alternatively, an invisible bookmark code or bracketing pairs of codes are inserted within the document in close proximity to or surrounding the underlying object. The object is now hyperlinked to the URL. That is, selecting the URL hyperlinked object in the document (e.g. , by clicking on it with a mouse ) causes the underlying program to start an associated Internet-capable communications module or program, and use the URL address property of the object to retrieve the associated browser page (or an object therein).
If the underlying location does not contain a pre-existing object (i.e., the location is blank) (STEP 312), then, in the preferred embodiment, the object or the text of the object of the selected item in the browser page is also copied and imported into the document page as a figure or figure text (STEP 316). The imported object then becomes an object of the document page. A bookmark property of the new object is set to the value of the dragged URL (STEP 314).」（第８頁第５行〜第９頁第１３行）
　
（３）そして、原査定の拒絶の理由として引用された特開平８−１６６３９号公報（以下、「引用例３」という。）には、次の事項が図面と共に開示されている。（記載箇所は段落番号で表示）
　カ「【００１５】
【課題を解決するための手段】本発明は、任意の製品を開発、および製造する際の全業務を最小単位に分解し、該業務を体系化し、同一認識番号を付加し、製品名と前述同一認識番号とで従属情報を管理するプロセス管理表と、該プロセス管理表を作成する際の元データを含む製品プロセス手順マスタ表と、前記プロセス管理表のうち、ＣＡＤ（Ｃomputer Ａided  Ｄesign ）ツール、ＣＡＭ（Ｃomputer Ａided  Ｍanufacturing）ツール、ＣＡＴ（ＣomputerＡided  Ｔesting）ツール、ＣＡＥ（Ｃomputer Ａided  Ｅngineering）ツール、およびＣＡＰＰ（Ｃomputer Ａided  Ｐrocess  Ｐlanning ）ツールのツール支援を受ける工程を抜き出し、前記製品名と前記同一認識番号とで従属情報を管理し、前記ＣＡＤツール、前記ＣＡＭツール、前記ＣＡＴツール、前記ＣＡＥツール、前記ＣＡＰＰツールが作成するデータの格納先を指定する製品データ表と、前記ＣＡＤツール、前記ＣＡＭツール、前記ＣＡＴツール、前記ＣＡＥツール、前記ＣＡＰＰツールの各ツールが作成するデータを開発管理フレームワークの管理外のシステムに配信する場合に参照し、システムのアドレスの従属情報を管理している配信アドレス表と、製品を開発する際に使用する部品を一元管理する部品ライブラリ表とを具備する製品データ統合管理データベースにおいて、過去に設計した製品について、前記プロセス管理表に登録されたＷＢＳ（Ｗork Ｂreakdown  Ｓtructure）基本プロセスの開始時刻、終了時刻、累積作業時間、作業工数、そのプロセスの評価ポイントを管理する統計データ表と、過去に設計した製品より導出される統計情報パラメータを記録する統計マスタ表と、該配信作業に関する管理事項を記録する配信管理表と、前記ＣＡＤツール、前記ＣＡＭツール、前記ＣＡＴツール、前記ＣＡＥツール、前記ＣＡＰＰツールの任意ツールが作成するデータを、別の任意ツールが読み込む場合に、該ツールに適合する形式にデータを自動変換するメソッドを管理するアクセスメソッド表とを具備することを特徴とするものである。」
　
３　対比
　本願発明と引用発明とを対比する。
　
　引用発明の「インターネットエクスプローラ（ＩＥ）やネットスケープナビゲータ（ＮＣ）」及び「ＡｕｔｏＣＡＤ　２０００、ＡｕｔｏＣＡＤ　ＬＴ９８や９５」は、ネットワークに接続されたクライアント上で動作するアプリケーションプログラムであるから、それぞれ本願発明の「Ｗｅｂブラウザ」及び「クライアント上のＣＡＤアプリケーション」に相当する。
　また、「ＤＷＧファイル」に対応するＣＡＤ部品の属性データが含まれていることは当業者にとって自明である。
　
　以上を踏まえると、両者の一致点、相違点は以下のとおりである。
　
【一致点】
　インターネット等のネットワークに接続されたサーバが提供する種々のＣＡＤ部品データを、クライアントにおいてＷｅｂブラウザを用いて取得し、前記クライアント上のＣＡＤアプリケーションで利用するためのＣＡＤシステムであって、
　前記クライアントにおいて前記Ｗｅｂブラウザ上に表示された前記ＣＡＤ部品データをドラッグ＆ドロップもしくはコピー＆ペーストにより前記クライアント上のＣＡＤアプリケーションに前記ＣＡＤ部品データを挿入する手段と、
　前記ＣＡＤ部品の画像データを挿入する際に、前記画像データとともに該ＣＡＤ部品データの属性値に関するデータを取得し、該ＣＡＤ部品データと関連付けて管理する手段、
　を備えることを特徴とするＣＡＤシステム。
　
【相違点】
　相違点１：本願発明が「ＣＡＤ部品の画像データを挿入する際に、前記画像データとともに該ＣＡＤ部品データが公開されているＷｅｂページのＵＲＬを取得し、該ＣＡＤ部品データと関連付けて管理する手段」を有しているのに対して、引用発明はそのような手段を有していない点。
　
　相違点２：本願発明が「ＷｅｂブラウザからＣＡＤ部品の画像データをドロップもしくはペーストする際、自動的にクライアント上のＣＡＤアプリケーション用フォーマットに変換して挿入する手段」を有しているのに対して、引用発明はそのような手段を有していない点。
　
４　当審の判断
ａ　相違点１について
　前掲オの記載によると、引用例２には、ブラウザページに表示されたグラフィックス図面等のオブジェクトを文書ページにドラッグ＆ドロップしたときに、前記オブジェクトがコピーされ前記文書ページ内にインポートされるとともに、当該インポートされたオブジェクトに前記ブラウザページのＵＲＬへのハイパーリンクが設定されること（以下、「引用例２に記載の発明」という）が記載されている。
　引用発明と引用例２記載の発明とは、いずれもＷｅｂブラウザのページに表示されたオブジェクトをドラッグ＆ドロップするという共通の機能を有するものであり、かつ、引用発明に引用例２記載の発明を適用することについて阻害要因を認められないから、引用発明に引用例２に記載の発明を適用し、ドラッグ＆ドロップされたＣＡＤ部品データと該ＣＡＤ部品データが公開されているＷｅｂページのＵＲＬを関連付けて管理することは、当業者が容易に想到し得ることといえる。
　
ｂ　相違点２について
　前掲カの記載によると、引用例３には、他のコンピュータ支援ツールで作成した形式（フォーマット）の異なるデータを別のコンピュータ支援ツールで読み込む際、該ツールに適合する形式にデータを自動変換すること（以下、「引用例３に記載の発明」という）が記載されている。
　引用発明と引用例３記載の発明とは、いずれもＣＡＤに代表されるコンピュータ支援ソフトウェアに関する技術分野に属するものであり、かつ、引用発明に引用例３記載の発明を適用することについて阻害要因を認められないから、引用発明に引用例３記載の発明を適用し、ＷｅｂブラウザからＣＡＤ部品の画像データをドロップもしくはペーストする際に、自動的にクライアント上のＣＡＤアプリケーション用フォーマットに変換して挿入することは当業者が容易に想到し得ることといえる。
　
　さらに、本願発明の奏する効果を検討してみても、相違点１及び２の構成を共に採用することにより生じる相乗効果は認められず、引用例１ないし３に記載された発明から想定される範囲を越える格別なものとはいえない。
　
５　結論
　以上のとおり、本願発明は、引用例１ないし３に記載された発明に基づいて当業者が容易に発明をすることができたものであるから、特許法２９条２項の規定により特許を受けることができない。
　したがって、本願は、他の請求項について検討するまでもなく、拒絶すべきものである。
　よって、結論のとおり審決する。